(57)【要約】【課題】外壁材が縦張りであっても横張りであっても共用化でき、板厚の異なる外壁材にも対応可能であり、水切りとしての機能を有する外壁用役物を提供する。【解決手段】胴縁に固定可能な背片２と、この背片２から前方に略直角に延設された底片３と、この底片３の前端から略直角上方に延設され、前記背片２に対向配置された第１前片４とを備え、前記背片２は、前記第１前片４に対向する部分において前記底片３の上面に略平行な面を有する座部５と、斜め下向きに前記底片３の下側に突設され、その前端から下方に延設された第２前片８を有する水切り部６とを有し、前記底片３には、水抜き孔１１が形成されており、上下に配置される上側の外壁材と下側の外壁材とを連結する中間連結部において上側の外壁材の下端部が前記背片２と前記底片３と前記第１前片４とで囲まれる領域Ａに配置可能とされ、下側の外壁材の上端部前側が前記水切り部６で遮蔽可能とされている。【選択図】図１
2012067550.tif 000002
【特許請求の範囲】
【請求項１】
胴縁に固定可能な背片と、この背片から前方に略直角に延設された底片と、この底片の前端から略直角上方に延設され、前記背片に対向配置された第１前片とを備え、前記背片は、前記第１前片に対向する部分において前記底片の上面に略平行な面を有する座部と、前記底片の下側に斜め下向きに突設され、その前端から下方に延設された第２前片を有する水切り部とを有し、前記底片には、水抜き孔が形成されており、上下に配置される上側の外壁材と下側の外壁材とを連結する中間連結部において上側の外壁材の下端部が前記背片と前記底片と前記第１前片とで囲まれる領域に配置可能とされ、下側の外壁材の上端部前側が前記水切り部で遮蔽可能とされていることを特徴とする外壁用役物。
【請求項２】
前記第１前片は、上端に前記背片側に向かって突出する外壁材押さえ部を有していることを特徴とする請求項１に記載の外壁用役物。
【請求項３】
前記水切り部の前記第２前片は、前面が前記第１前片の前面と略同一面上に形成されていることを特徴とする請求項１または２に記載の外壁用役物。
【請求項４】
請求項１から３のいずれかの外壁用役物を用いた外壁材の端部仕舞い構造であって、上下に隣接して配置される上側の外壁材と下側の外壁材とを連結する中間連結部において、前記外壁用役物が壁下地に胴縁を介して取り付けられ、縦張りまたは横張りで施工された前記上側の外壁材の下端部が、前記外壁用役物の前記背片と前記第１前片との間に挿し込まれ、前記座部に支持され、前記背片において前記座部よりも上側に位置する部分と前記第１前片との間に配置され、前記下側の外壁材の上端部前側が、前記外壁用役物の前記水切り部で遮蔽されることを特徴とする外壁材の端部仕舞い構造。
【請求項５】
請求項１から３のいずれかの外壁用役物を用いた外壁材の端部仕舞い構造であって、上下に隣接して配置される上側の外壁材と下側の外壁材とを連結する中間連結部において、前記外壁用役物が壁下地に胴縁を介して取り付けられ、縦張りまたは横張りで施工された前記上側の外壁材の下端部が、前記外壁用役物の前記背片と前記第１前片との間に挿し込まれ、前記底片に支持され、前記背片において前記座部よりも下側に位置する部分と前記第１前片との間に配置され、前記下側の外壁材の上端部前側が、前記外壁用役物の前記水切り部で遮蔽されることを特徴とする外壁材の端部仕舞い構造。
【発明の詳細な説明】
【技術分野】
【０００１】
本発明は、上下に配置される上側外壁材と下側外壁材とを連結する中間連結部に用いられる外壁用役物と外壁材の端部仕舞い構造に関する。
【背景技術】
【０００２】
従来より、例えば、縦張り施工され上下に配置される上側の外壁材と下側の外壁材とを連結する中間連結部においては、上側の外壁材の下端部を覆う端部カバーと、下側の外壁材の上端部を覆い水切りをおこなう中間水切り材との２部材の役物が使用されている（特許文献１の図１）。外壁材は、例えば、金属製の表面材の裏面に発泡ウレタン材にて形成された断熱材が設けられており、一方の側端部に係合部である凸部が設けられ、他方の側端部に被係合部である凹部が設けられており、凸部および凹部は表面材が覆われ、それ以外の側端部は断熱材が露出して形成されている。縦張り施工では、外壁材が左右に隣り合って複数枚配設され、隣り合う左右の外壁材同士が凹凸嵌合により接合されており、外壁材の下端部は断熱材が露出している。上側の外壁材の下端部を覆う端部カバー内に雨水が浸入して溜まると、外壁材の下端部から断熱材に吸水されることになり外壁材の断熱性能の低下につながるので、端部カバーには水抜き孔が設けられている。
【０００３】
一方、上記の例とは異なり、外壁材が上下に隣り合って複数枚配設され、隣り合う外壁材同士を凹凸嵌合により接合される、横張り施工もおこなわれている。この場合、横張り施工された上下に配置される上側の外壁材と下側の外壁材と間の中間連結部においては、上側の外壁材の下端部を支持するスターターと、下側の外壁材の上端部を覆い水切りをおこなう中間水切り材との２部材の役物が使用される。外壁材の下端部には凹凸嵌合する凹部が配設されており、凹部は前側凸部と後側凸部とから構成され、スターターは、例えば、後側凸部を支持するものであり、後側凸部の形状に沿った、略Ｕ字状の断面形状を有する。
【先行技術文献】
【特許文献】
【０００４】
【特許文献１】特開２００９−２０８５号公報
【発明の概要】
【発明が解決しようとする課題】
【０００５】
しかしながら、中間連結部に使用される役物には、以下の問題があった。すなわち、中間連結部においては、中間水切り材とともに、縦張り施工では端部カバーが使用され、横張り施工ではスターターが使用されるなど２部材を用意する必要がある。また、外壁材の板厚によって形状の異なる端面カバーを用意しておく必要がある。また、これによって部品点数が多くなり、管理も面倒で取り扱い性が悪いという問題もある。
【０００６】
本発明は、以上の通りの事情に鑑みてなされたものであり、外壁材が縦張りであっても横張りであっても共用化でき、板厚の異なる外壁材にも対応可能であり、水切りとしての機能を有する外壁用役物と外壁材の端部仕舞い構造を提供することを課題としている。
【課題を解決するための手段】
【０００７】
上記の課題を解決するために、本発明は、以下のことを特徴としている。
【０００８】
本発明の外壁用役物は、胴縁に固定可能な背片と、この背片から前方に略直角に延設された底片と、この底片の前端から略直角上方に延設され、背片に対向配置された第１前片とを備え、背片は、第１前片に対向する部分において底片の上面に略平行な面を有する座部と、底片の下側に斜め下向きに突設され、その前端から下方に延設された第２前片を有する水切り部とを有し、底片には、水抜き孔が形成されており、上下に配置される上側の外壁材と下側の外壁材とを連結する中間連結部において上側の外壁材の下端部が背片と底片と第１前片とで囲まれる領域に配置可能とされ、下側の外壁材の上端部前側が水切り部で遮蔽可能とされていることを特徴とする。
【０００９】
この外壁用役物において、第１前片は、上端に背片側に向かって突出する外壁材押さえ部を有していることが好ましい。
【００１０】
また、この外壁用役物において、水切り部の第２前片は、前面が第１前片の前面と略同一面上に形成されていることが好ましい。
【００１１】
本発明は、上記のいずれかの外壁用役物を用いた外壁材の端部仕舞い構造であって、上下に隣接して配置される上側の外壁材と下側の外壁材とを連結する中間連結部において、外壁用役物が壁下地に胴縁を介して取り付けられ、縦張りまたは横張りで施工された上側の外壁材の下端部が、外壁用役物の背片と第１前片との間に挿し込まれ、座部に支持され、背片において座部よりも上側に位置する部分と第１前片との間に配置され、下側の外壁材の上端部前側が、外壁用役物の水切り部で遮蔽されることを特徴とする。
【００１２】
また、本発明は、上記のいずれかの外壁用役物を用いた外壁材の端部仕舞い構造であって、上下に隣接して配置される上側の外壁材と下側の外壁材とを連結する中間連結部において、外壁用役物が壁下地に胴縁を介して取り付けられ、縦張りまたは横張りで施工された上側の外壁材の下端部が、外壁用役物の背片と第１前片との間に挿し込まれ、底片に支持され、背片において座部よりも下側に位置する部分と第１前片との間に配置され、下側の外壁材の上端部前側が、外壁用役物の水切り部で遮蔽されることを特徴とする。
【発明の効果】
【００１３】
本発明の外壁用役物は、外壁材が縦張りであっても横張りであっても共用化でき、厚みの異なる外壁材にも対応可能である。また、水切りとしての機能を有する。
【００１４】
本発明の外壁材の端部仕舞い構造は、外壁用役物一部材で、縦張りまたは横張りで施工された、厚みの異なる上側の外壁材の下端部を外壁用役物に仕舞うことができるとともに、外壁用役物内部に雨水などが浸入しても排水して水切り部で水切りできる。
【図面の簡単な説明】
【００１５】
【図１】本発明の外壁用役物の一実施形態を示した要部斜視図である。
【図２】上下に隣接して配置される上側の外壁材（板厚１６ｍｍ）と下側の外壁材（板厚２１ｍｍ）とを連結する中間連結部に図１の外壁用役物を用いた外壁材の端部仕舞い構造の要部断面図であり、（ａ）は縦張りの外壁、（ｂ）は横張りの外壁である。
【図３】外壁材の一例を示した要部断面斜視図である。
【図４】上下に隣接して配置される上側の外壁材（板厚１６ｍｍ）と下側の外壁材（板厚２１ｍｍ）とを連結する中間連結部に図１の外壁用役物を用いた外壁材の端部仕舞い構造の要部断面図であり、（ａ）は縦張りの外壁、（ｂ）は横張りの外壁である。
【発明を実施するための形態】
【００１６】
以下、図面を参照して本発明の実施形態を説明する。
【００１７】
図１は、本発明の外壁用役物の一実施形態を示した要部斜視図である。
【００１８】
図１の外壁用役物１は、壁下地に胴縁を介して上下に隣接して配置される上側の外壁材と下側の外壁材とを連結する中間連結部に配設される横長の部材である。
【００１９】
この外壁用役物１は、上下方向に起立した背片２と、この背片２の下側部分から前方に略直角に延設された底片３と、この底片３の前端から略直角上方に延設され、背片２に対向配置された第１前片４とを備えている。背片２は、釘、ビスなどの固着具により胴縁に固定可能である。
【００２０】
第１前片４の上下幅は、例えば、図１に示すように、背片２の上下幅の１／２程度とすることができ、第１前片４の上端が背片２の上下幅の略中央の部位に位置するように形成されている。
【００２１】
背片２には、第１前片４に対向する部分の上下幅の略中央の部位に、底片３の上面に略平行な面５ａを有する座部５が形成されている。すなわち、背片２は、対向配置された第１前片４の上下幅に対応する部分の略中央の部位において略直角後方に屈曲され、さらに後端において略直角上方に屈曲されており、１段の階段状に形成されている。
【００２２】
また、背片２には、下端から斜め下向きに底片３の下側に突設され、傾斜面７ａを有する傾斜片７と、この傾斜片７の前端から下方に延設され、第１前片４に略平行な第２前片８とを有し、水切り部６を形成している。この水切り部６は、背片２の長手方向にわたって延びている。第２前片８は、前面が第１前片４の前面と略同一面上に形成されている。
【００２３】
外壁用役物１では、第１前片４は、上端に背片２側に向かって斜め下方に突出する突片１０を有し、外壁材押さえ部９を形成している。この外壁材押さえ部９は、第１前片４の長手方向にわたって延びている。
【００２４】
また、外壁用役物１では、底片３に上下に貫通する丸孔形状の水抜き孔１１が底片３の前後幅の略中央の部位に一定間隔で長手方向に複数形成されている。水抜き孔１１の形状は特に限定されるものではなく、長孔形状や矩形形状とすることもできる。
【００２５】
このような外壁用役物１は、例えば、アルミニウム材などの金属材料あるいは塩化ビニル樹脂などの合成樹脂材料の押出成形にて一体物として形成される。一枚の金属薄板で形成することもできる。この場合、例えば、第１前片の下端において金属薄板が略直角後方に折り曲げられ、底片を形成する。底片の下端において金属薄板が略直角上方に折り曲げら、さらに略直角後方に折り曲げられ、座部を形成し、この座部の後端において略直角上方に折り曲げられる。背片の上端において金属薄板が後側に折り返されて折り重ねられ、背片では、ほとんどの部分が前後に折り重ねられた金属薄板で構成される。背片の下端において金属薄板が前側に斜め下向きに折り曲げられ、傾斜片を形成し、さらにその前端において下方に折り曲げられ、第２前片を形成する。水抜き孔は打ち抜き加工などによって形成される。
【００２６】
このような外壁用役物１は、上下に隣接して配置される上側の外壁材と下側の外壁材とを連結する中間連結部において、一部材で、上側の外壁材の下端部を背片２と底片３と第１前片４とで囲まれる領域Ａに配置可能としている。そして、下側の外壁材の上端部前側を水切り部６で遮蔽可能としている。この領域Ａ内に雨水などが浸入しても、底片３に設けられた水抜き孔１１から排水し、これを傾斜片７の傾斜面７ａで受け、第２前片８側に排水し、第２前片８で水切りできる。また、底片３の下方に水切り部６が形成されているので、中間連結部に外壁用役物１を取り付けた際、屋外において下から見上げたときでも底片３の水抜き孔１１は視認されにくい。
【００２７】
さらに、外壁用役物１は、縦張りまたは横張りで施工された、板厚の異なる外壁材の下端部を配置可能である。外壁材の板厚は予め分かっているので（例えば、２１ｍｍまたは１６ｍｍ）、このような外壁材の板厚に合わせて外壁用役物１を設定しておく。すなわち、外壁用役物１の背片２において座部５よりも上側に位置する部分と第１前片４との間の間隔ｗ１を、例えば板厚２１ｍｍの外壁材の下端部が配置可能に、その外壁材の板厚よりもわずかに大きくなるように設定しておく。外壁用役物１の背片２において座部５よりも下側に位置する部分と第１前片４との間の間隔ｗ２についても、例えば板厚１６ｍｍの外壁材の下端部が配置可能に、その外壁材の板厚よりもわずかに大きくなるように設定しておく。これによって外壁材の板厚が２１ｍｍの場合には、その外壁材の下端部を座部５の上に載せることにより、外壁材の下端部が、座部５で支持され、外壁用役物１の背片２において座部５よりも上側に位置する部分と第１前片４との間に配置される。外壁材の板厚が１６ｍｍの場合には、その外壁材の下端部を底片３の上に載せることにより、外壁材の下端部が、底片３で支持され、外壁用役物１の背片２において座部５よりも下側に位置する部分と第１前片４との間に配置される。
【００２８】
このように外壁用役物１は、外壁材が縦張りであっても横張りであっても共用化でき、厚みの異なる外壁材にも対応可能であり、また、水切りとしての機能を有するので、部品点数を削減することができる。
【００２９】
本実施形態では、第１前片４の上端に外壁材押さえ部９を有しているので、領域Ａ内に外壁材の下端部が配置された際には突片１０が外壁材の前面に当接し、外壁材が安定に保持される。
【００３０】
さらに、本実施形態では、水切り部６の第２前片８の前面が第１前片４の前面と略同一面上に形成されているので、外壁用役物１の見映えがよい。また、上側の外壁材の前面と下側の外壁材の前面についても略同一面上に形成されるので良好な外観が実現される。
【００３１】
図２は、上下に隣接して配置される上側の外壁材と下側の外壁材とを連結する中間連結部に図１の外壁用役物を用いた外壁材の端部仕舞い構造の要部断面図であり、（ａ）は縦張りの外壁、（ｂ）は横張りの外壁である。
【００３２】
本実施形態では、上側の外壁材１４、下側の外壁材１５ともに板厚２１ｍｍの外壁材が用いられている。
【００３３】
上側の外壁材１４および下側の外壁材１５は、縦張りまたは横張り施工により、左右または上下に複数取り付けられる。各外壁材１４，１５は同じ構造を有している。例えば、図３に示すように、外壁材１４，１５は、軽量形鋼板など金属製の表面材１６とアルミニウム箔などの裏面材１７との間にウレタン材料などの圧縮変形可能な発泡体などの断熱材１８が充填されて形成されている。外壁材１４，１５としては、セメント系材料の基材上に、樹脂塗料および無機系塗料を塗布して表面にガラス質を連続厚膜成形した不燃外装材にて形成されたものであってもよい。外壁材１４，１５の一方の側端部には係合部である凸部（雄実）１９、他方の側端部には被係合部である凹部（雌実）２０が形成されており、隣り合う外壁材１４，１４同士および隣り合う外壁材１５，１５同士が凹凸嵌合によって互いに接合される。
【００３４】
図２（ａ）では横胴縁２１が、図２（ｂ）では縦胴縁２２が、透湿防水シート２３を介して壁下地２４に所定間隔で複数本配設されている。下側の外壁材１５は、縦張りまたは横張り施工により壁下地２４に取り付けられている。外壁用役物１は、下側の外壁材１５の上端部１５ａの上に配置され、背片２が横胴縁２１または縦胴縁２２に当接され、釘、ビスなどの固着具２５によって横胴縁２１または縦胴縁２２を介して壁下地２４に固定されている。外壁用役物１の水切り部６は、下側の外壁材１５の上端部１５ａ外側を傾斜片７および第２前片８によって覆い、下側の外壁材１５の上端部１５ａを仕舞っている。
【００３５】
図２（ａ）に示すように上側の外壁材１４を縦張りする場合、外壁材１４の下端部１４ａを外壁用役物１の領域Ａに差し込み、座部５に当接させる。これにより、外壁材１４の下端部１４ａが、座部５で支持され、外壁用役物１の背片２において座部５よりも上側に位置する部分と第１前片４との間に配置される。左右に隣り合う外壁材１４，１４同士は、その左右両端に形成された凸部と凹部とを互いに凹凸嵌合され、横方向に配置される。
【００３６】
図２（ｂ）に示すように上側の外壁材１４を横張りする場合、まず、上下に隣り合う外壁材１４，１４同士を凸部と凹部２０とを互いに凹凸嵌合させて縦方向に順次配置させる。次いで、最下段の外壁材１４の下端部１４ａを外壁用役物１の領域Ａに差し込み、座部５に当接させることにより、外壁材１４の下端部１４ａが、座部５で支持され、外壁用役物１の背片２において座部５よりも上側に位置する部分と第１前片４との間に配置される。
【００３７】
このような外壁用役物１は、一部材で、下側の外壁材１５の上端部１５ａ前側および上側の外壁材１４の下端部１４ａを露出させず、外観良く仕舞っている。また、外壁材１４，１５が縦張りまたは横張りでも外壁用役物１を共用化でき、部品点数を低減することができる。
【００３８】
上側の外壁材１４の下端部１４ａは座部５によって底片３から浮いた状態で保持されるため、底片３に形成された水抜き孔１１が塞がれることがなく、外壁用役物１の内部に浸入する雨水などを水抜き孔１１から排水することができ、排水性が良好である。底片３の下方には水切り部６が形成されており、水抜き孔１１から排水された雨水を傾斜片７の傾斜面７ａで受け、第２前片８側に排水し、第２前片８で水切りできる。また、屋外において下から見上げたとき、底片３の水抜き孔１１は水切り部６によって視認されにくくなっている。
【００３９】
また、第１前片４の外壁材押さえ部９の突片１０が上側の外壁材１４の前面に当接するので、外壁材１４は安定に保持される。
【００４０】
さらに、水切り部６の第２前片８の前面が第１前片４の前面と略同一面上に形成され、上側の外壁材１４の前面が下側の外壁材１５の前面と略同一面上に形成されているので、見映えが良く、外観が良好である。
【００４１】
なお、防水性を高めるために、第１前片４の上端に沿って上側の外壁材１４の前面との間にシーリング材を配設することができる。また、水切り部６の第２前片８の下端に沿って下側の外壁材１５の前面との間にもシーリング材を配設することができる。
【００４２】
図４は、上下に隣接して配置される上側の外壁材と下側の外壁材とを連結する中間連結部に図１の外壁用役物を用いた外壁材の端部仕舞い構造の要部断面図であり、（ａ）は縦張りの外壁、（ｂ）は横張りの外壁である。
【００４３】
本実施形態では、上側の外壁材１４として板厚１６ｍｍの外壁材が、下側の外壁材１５として板厚２１ｍｍの外壁材が用いられている。
【００４４】
横胴縁２１または縦胴縁２２の壁下地２４への固定、下側の外壁材１５の取り付け、および外壁用役物１の中間連結部への取り付けは、図２の外壁材の端部仕舞い構造と同じなので説明を省略する。
【００４５】
図４（ａ）に示すように上側の外壁材１４を縦張りする場合、外壁材１４の上端部１４ｂを見切り縁２６に挿入し、外壁材１４の下端部１４ａを外壁用役物１の領域Ａに差し込み、底片３に当接させる。これにより、外壁材１４の下端部１４ａが、底片３で支持され、外壁用役物１の背片２において座部５よりも下側に位置する部分と第１前片４との間に配置される。左右に隣り合う外壁材１４，１４同士は、その左右両端に形成された凸部と凹部とが互いに凹凸嵌合され、横方向に配置される。
【００４６】
図４（ｂ）に示すように上側の外壁材１４を横張りする場合、まず、外壁材１４の上端部１４ｂである凸部１９を見切り縁２６に挿入させ、上下に隣り合う外壁材１４，１４同士を凸部１９と凹部２０とを互いに凹凸嵌合させて縦方向に順次配置させる。次いで、最下段の外壁材１４の下端部１４ａを外壁用役物１の領域Ａに差し込み、底片３に当接させる。これにより、外壁材１４の下端部１４ａが、底片３で支持され、外壁用役物１の背片２において座部５よりも下側に位置する部分と第１前片４との間に配置される。
【００４７】
上側の外壁材１４の上端部１４ｂが挿入される見切り縁２６は、スペーサー２７を介して横胴縁２１または縦胴縁２２に取り付け固定されている。スペーサー２７の厚みは、例えば、次のように設定することができる。外壁用役物１の第１前片４と背片２において座部５よりも上側に位置する部分との間に配置される外壁材１４の板厚と、外壁用役物１の第１前片４と背片２において座部５よりも下側に位置する部分との間に配置される外壁材１４の板厚との差とすることができる。本実施形態では、５ｍｍ厚のスペーサーが用いられている。
【００４８】
このように板厚の異なる外壁材１４が用いられていても、外壁用役物１は、一部材で、下側の外壁材１５の上端部１５ａ前側および上側の外壁材１４の下端部１４ａを露出させず、外観良く仕舞うことができる。また、外壁材１４，１５が縦張りまたは横張りでも外壁用役物１を共用化でき、部品点数を低減することができる。
【００４９】
外壁用役物１の内部に浸入する雨水などを水抜き孔１１から排水することができる。底片３の下方には水切り部６が形成されており、水抜き孔１１から排水された雨水を傾斜片７の傾斜面７ａで受け、第２前片８側に排水し、第２前片８で水切りできる。また、屋外において下から見上げたとき、底片３の水抜き孔１１は水切り部６によって視認されにくくなっている。
【００５０】
また、第１前片４の外壁材押さえ部９の突片１０が上側の外壁材１４の前面に当接するので、外壁材１４は安定に保持される。
【００５１】
さらに、水切り部６の第２前片８の前面が第１前片４の前面と略同一面上に形成され、上側の外壁材１４の前面が下側の外壁材１５の前面と略同一面上に形成されているので、見映えが良く、外観が良好である。
【００５２】
なお、防水性を高めるために、第１前片４の上端に沿って上側の外壁材１４の前面との間にシーリング材を配設することができる。また、水切り部６の第２前片８の下端に沿って下側の外壁材１５の前面との間にもシーリング材を配設することができる。
【符号の説明】
【００５３】
１  外壁用役物
２  背片
３  底片
４  第１前片
５  座部
６  水切り部
８  第２前片
９  外壁材押さえ部
１１  水抜き孔
１４  上側の外壁材
１４ａ  下端部
１５  下側の外壁材
１５ａ  上端部
【図１】
2012067550.tif 000003
【図２】
2012067550.tif 000004
【図３】
2012067550.tif 000005
【図４】
2012067550.tif 000006